(57)【要約】【課題】装置全体が水平方向に大型化することを抑制できる記録装置を提供する。【解決手段】記録媒体１３を支持するプラテン１９と、プラテン１９で支持された記録媒体１３の印刷面に対してインクを噴射する記録ヘッド２６と、プラテン１９から搬送された記録媒体１３に対して、印刷面に付着したインクを乾燥させる乾燥装置１６と、記録媒体１３を送り出す繰り出し部１４と、記録媒体１３を巻き取る巻き取り部１７とを備えており、繰り出し部１４と巻き取り部１７とが近接するように配置されている。【選択図】図１
2012166497.tif 000002
【特許請求の範囲】
【請求項１】
記録媒体を繰り出す繰り出し部と、
記録媒体を支持する支持部材と、
前記支持部材で支持された記録媒体の一面に対して記録材を付与する記録ヘッドと、
前記支持部材から搬送された記録媒体に対して、前記一面に付着した記録材を定着させるための定着ユニットと、
記録媒体を巻き取る巻き取り部とを備えており、
前記支持部材と前記定着ユニットとが上下方向において重合配置となるように配置され、
前記巻取り部と繰り出し部が隣接するように配置されていることを特徴とする印刷装置。
【請求項２】
請求項１に記載の印刷装置であって、
ロール状の記録媒体の半径をｒとし、紙管の半径をｒ’としたとき、前記繰り出し部の繰出軸と前記巻取り部の巻き取り軸とが、距離Ｌをもって離間するよう配置されていることを特徴とする印刷装置。
距離Ｌは、（ｒ＋ｒ’）≦Ｌ＜２ｒを満たす。
【発明の詳細な説明】
【技術分野】
【０００１】
本発明は、印刷装置に関する。
【背景技術】
【０００２】
従来から、ターゲットに対して記録剤を付着させて記録を施す記録装置（印刷装置）の一種として、インクジェット式プリンター（以下、「プリンター」という。）が広く知られている。また、近年では、こうしたプリンターを用いて、連続紙（ターゲット）に対して、液体（記録材）を噴射することにより、後に切り抜いてラベルとして用いる多数の単位画像を連続して印刷する技術が提案されている（例えば、特許文献１参照）。
【０００３】
すなわち、特許文献１に記載のプリンターは、紙搬送経路の最上流に設けられた繰り出し駆動軸によって、連続紙が繰り出され、連続紙の紙搬送経路の途中位置にプラテンが設けられており、該プラテン上に搬送停止した状態にある連続紙に対してインク（記録材）を噴射して印刷を行う。続いて、連続紙の搬送経路におけるプラテンの下流側近傍に設けられた強制乾燥領域にて、連続紙に形成されたインクによる印刷像を加熱して強制的に乾燥させる。その後、連続紙の搬送経路における強制乾燥領域よりも下流側に設けられた巻き取り駆動軸によって、強制乾燥領域にてインクよる印刷像が強制乾燥された連続紙を巻き取る。
【先行技術文献】
【特許文献】
【０００４】
【特許文献１】特開２００９−７３０１２号公報
【発明の概要】
【発明が解決しようとする課題】
【０００５】
しかしながら、特許文献１に記載の印刷装置では、繰り出し部と巻き取り部が、印刷領域や乾燥領域を挟んで両側に設けられているため、繰り出し部と巻き取り部には装置仕様の最大径の連続紙を取り付けることができる空間が必要となり、装置全体が水平方向に大型化するという課題があった。
【課題を解決するための手段】
【０００６】
本発明は、上述の課題の少なくとも一部を解決するためになされたものであり、以下の形態または適用例として実現することが可能である。
【０００７】
［適用例１］本適用例に係る印刷装置は、記録媒体を繰り出す繰り出し部と、記録媒体を支持する支持部材と、前記支持部材で支持された記録媒体の一面に対して記録材を付与する記録ヘッドと、前記支持部材から搬送された記録媒体に対して、前記一面に付着した記録材を定着させるための定着ユニットと、記録媒体を巻き取る巻き取り部とを備えており、前記支持部材と前記定着ユニットとが上下方向において重合配置となるように配置され、前記巻取り部と繰り出し部が隣接するように配置されていることを特徴とする。
【０００８】
本適用例によれば、繰り出し部と巻き取り部で記録媒体を取り付ける空間が共有できるため、これらの部材の設置スペースに関して省スペース化を図ることができ、結果として装置全体の水平方向の大型化を抑制することができる。
【０００９】
［適用例２］本適用例に係る印刷装置は、ロール状の記録媒体の半径をｒとし、紙管の半径をｒ’としたとき、前記繰り出し部の繰出軸と前記巻取り部の巻き取り軸とが、距離Ｌをもって離間するよう配置されていることを特徴とする。距離Ｌは、（ｒ＋ｒ’）≦Ｌ＜２ｒを満たす。
【００１０】
本適用例によれば、繰り出し部と巻き取り部で記録媒体を取り付ける空間を共有できるよう、前記繰り出し部の巻き軸と前記巻取り部の巻き取り軸とを離間するよう配置することができるため、これらの部材の設置スペースに関して省スペース化を図ることができ、結果として装置全体の水平方向の大型化を抑制することができる。
【図面の簡単な説明】
【００１１】
【図１】実施形態１に係る概略構成図。
【図２】実施形態１に係る記録媒体の概略構成図。
【図３】実施形態２に係る繰出軸および巻き取り軸の位置関係を示す概略構成図。
【発明を実施するための形態】
【００１２】
以下、本発明をインクジェット式プリンター（以下、「プリンター」という）に具体化した実施形態について、図面を参照して説明する。なお、以下の各図においては、各層や各部材を認識可能な程度の大きさにするため、各層や各部材の尺度を実際とは異ならせしめている。
【００１３】
（実施形態１）
図１は、実施形態１に係る構成概略図である。
まず、実施形態１に係る印刷装置の概略構成について説明する。なお、以下における明細書中の説明において、「前方方向」、「左右方向」、「上下方向」をいう場合は、図１に矢印で示した方向を基準として示すものとする。
【００１４】
印刷装置としてのプリンター１１は、直方体状の本体ケース１２を備えている。本体ケース１２内には、長尺状の記録媒体１３を繰り出す繰り出し部１４と、その記録媒体１３に記録材としてのインクの噴射により印刷が施される印刷室１５と、その印刷によりインクが付着した記録媒体１３に乾燥処理を施す定着ユニットとしての乾燥装置１６と、そのように乾燥処理が施された記録媒体１３を巻き取る巻き取り部１７が設けられている。
【００１５】
すなわち、本体ケース１２内における上下方向の中央部よりもやや上寄りの位置には、本体ケース１２内を上下に区画する平板状の基台１８が設けられており、この基台１８よりも上側の領域が矩形板状の支持部材としてのプラテン１９を基台１８上に支持してなる印刷室１５となっている。そして、基台１８よりも下側の領域において、記録媒体１３の搬送方向で上流側となる左側寄りの位置に繰り出し部１４が配設されているとともに、繰り出し部１４の下流側となる左下側の位置に巻き取り部１７が配設され、さらに基台１８の下側の領域において、記録媒体１３の搬送方向で下流側となる位置に乾燥装置１６が配設されている。
【００１６】
なお、本実施形態では、図２に示すように、記録媒体１３は、印刷室１５においてインクが噴射されて印刷が施されるシール材１３a及び該シール材１３aが剥離可能に接着される基材１３bを積層して構成される。
【００１７】
図１に示すように、繰り出し部１４には前後方向に延びる繰出軸２０が固定される。記録媒体１３がロール状に巻かれたロール状記録媒体がその繰出軸２０に回転可能に支持される。より詳しくは、ロール状記録媒体は紙管を含み、紙管上に記録媒体が巻回されている。固定された繰出軸に対して、紙管が記録媒体と一体的に回転可能に支持される。すなわち、繰出軸２０に回転可能に支持されたロール状記録媒体が、図示しない搬送モーターの駆動力に基づいて繰り出されることにより、記録媒体１３が繰出軸２０から順次繰り出されて搬送方向の下流側に搬送されるようになっている。
【００１８】
一方、印刷室１５内において、プラテン１９の左側の位置には、第１ローラー２１が繰出軸２０と平行な態様で前方方向に延びるように設けられている。そして、繰出軸２０から繰り出された記録媒体１３は、この第１ローラー２１に左側下方から巻き掛けられることにより、その搬送方向が水平右方向に転換されてプラテン１９の上面に摺接するようになっている。
【００１９】
また、印刷室１５内において、プラテン１９の右側には、プラテン１９を挟んで左側の第１ローラー２１と左右方向で対向する第２ローラー２２とが第１ローラー２１と平行な態様で前後方向に延びるように設けられている。なお、第１ローラー２１及び第２ローラー２２は各々の周囲の頂部がプラテン１９における記録媒体１３を支持する上面１９aと実質的に同じ高さかわずかに低くなるように各々の設置される位置が調整されている。そのため、印刷室１５内で左側の第１ローラー２１により搬送方向が水平右方向に転換された記録媒体１３は、プラテン１９の上面１９aに摺接しつつ下流側となる右側に搬送されるようになっている。なお、プラテン１９には、プラテンヒーター１９bが埋設されており、プラテン１９の上面１９aに支持された記録媒体１３を加熱するようになっている。
【００２０】
また、印刷室１５内におけるプラテン１９の前後両側には、左右方向に延びるガイドレール２３（図１では２点鎖線で示す）が対をなすように設けられている。ガイドレール２３の上面はプラテン１９の上面１９aよりも高くなっており、両ガイドレール２３の上面には、矩形状のキャリッジ２４が図示しない駆動機構の駆動に基づき両ガイドレール２３に沿って左右方向へ往復移動可能な状態で支持されている。そして、このキャリッジ２４の下面側には支持板２５を介して記録ヘッド２６が支持されている。
【００２１】
印刷室１５内においては、プラテン１９の左端から右端までの一定範囲が印刷領域とされており、記録媒体１３はこの印刷領域単位で間欠的に搬送されるようになっている。そして、この印刷領域単位での間欠搬送によってプラテン１９上に停止した状態にある記録媒体１３に対して、キャリッジ２４の往復運動に伴い記録ヘッド２６からインクが噴射されることで記録媒体１３に対して印刷が施されるようになっている。
【００２２】
乾燥装置１６は、プラテン１９に対して上下方向において重合配置となるように配置されており、プラテン１９に対して平面視で部分的に重畳する構成となっている。そして、印刷室１５内において印刷が施された記録媒体１３は、第２ローラー２２に右側上方から巻き掛けられることにより、搬送方向が鉛直下方向に転換される。さらに乾燥装置１６の右側であって上側の第２ローラー２２と上下方向で対応する位置には、第３ローラー２７が上側の第２ローラーと平行な態様で前後方向に延びるように設けられている。そして、第２ローラー２２によって搬送方向が鉛直下方向に転換された記録媒体１３は、この第３ローラー２７に右側下方向から巻き掛けられることにより、その搬送方向が水平左方向に転換され乾燥装置１６に向けて搬送される。
【００２３】
すなわち、第２ローラー２２は、プラテン１９よりも記録媒体１３の搬送経路の下流側位置にて、記録媒体１３の搬送経路を屈曲させて記録媒体１３の搬送方向を転換させる第１の搬送方向転換手段として機能し、第３ローラー２７は、第２ローラー２２よりも記録媒体１３の搬送経路の下流側位置にて、記録媒体１３の搬送経路を屈曲させて記録媒体１３の搬送方向を転換させる第２の搬送方向転換手段として機能する。また、第２ローラー２２及び第３ローラー２７は、記録媒体１３が乾燥装置１６に搬入される前に、印刷室１５において印刷が施される印刷面（一面）の裏面側から記録媒体１３の搬送方向を転換する媒体ガイドとしても機能する。
【００２４】
また、記録媒体１３は、乾燥装置１６内を通過することにより、印刷室１５内において印刷が施された印刷面に対して乾燥処理が施される。そして、乾燥装置１６から搬出される記録媒体１３は、第４ローラー２８に巻き掛けられて、第４ローラー２８の左方に位置する巻き取り部１７に向けて搬送される。
【００２５】
巻き取り部１７には、第４ローラー２８と平行な態様で前後方向に延びる搬送手段としての巻き取り軸２９が設けられており、この巻き取り軸２９に対して記録媒体１３の搬送方向の下流端となる先端が巻きつけられている。そして、巻き取り軸２９が図示しない搬送モーターの駆動力に基づいて回転駆動することにより、記録媒体１３が巻き取り軸２９に順次巻き取られるようになっている。
【００２６】
図３に、繰り出し部の繰出軸２０と巻き取り部の巻き取り軸２９の位置関係を前後方向に直交する断面図で示す。繰り出し部に支持されたロール状の記録媒体の半径をｒとし、紙管３０の半径をｒ’としたとき、巻取り部の巻き取り軸が、繰出軸との間で、
（ｒ＋ｒ’）≦Ｌ＜２ｒを満たす距離Ｌをもって離間するよう構成した。
例えば、繰り出し部に支持されたロール状の記録媒体の半径は３００ｍｍのものが使用可能であり、紙管の外径（直径）が８０ｍｍのものが使用できる。この場合、繰出軸と巻き取り軸は、３４０ｍｍから６００ｍｍの間の任意の距離で離間させることができる。
【００２７】
以上述べたように、本実施形態に係る印刷装置としてのプリンター１１によれば、以下の効果を得ることができる。本実施形態によれば、繰り出し部と巻き取り部を隣接させて配置できる。これにより記録媒体を取り付ける空間が繰り出し部と巻き取り部とで共有できるため、これらの部材の設置スペースに関して省スペース化を図ることができ、結果として装置全体の水平方向の大型化を抑制することができる。
【００２８】
なお、本発明は上述した実施形態に限定されず、上述した実施形態に種々の変更や改良などを加えることが可能である。
【符号の説明】
【００２９】
１１…印刷装置としてのプリンター、１２…本体ケース、１３…記録媒体、１３ａ…シール材、１３ｂ…基材、１４…繰り出し部、１５…印刷室、１６…乾燥装置、１７…巻き取り部、１８…基台、１９…プラテン、２０…繰出軸、２１…第１ローラー、２２…第２ローラー、２３…ガイドレール、２４…キャリッジ、２５…支持板、２６…記録ヘッド、２７…第３ローラー、２８…第４ローラー、２９…巻き取り軸、３０…紙管。
【図１】
2012166497.tif 000003
【図２】
2012166497.tif 000004
【図３】
2012166497.tif 000005